(57)【要約】【課題】貯蔵庫において、庫本体の外観をすっきりとさせるとともに、庫本体の外表面の清掃性を良好とすること。【解決手段】前方および上方に開口を有する箱体１１と、この箱体１１の上部に脱着可能で箱体１１の上方開口１１ａを塞ぐ天板１２により庫本体が構成され、この庫本体の前方一側に配設したヒンジ２１にて、箱体１１の前方開口１１ｂを開閉可能なドアが回動可能に支持される貯蔵庫において、前記ドアの一側上端を回動可能に支持する上ヒンジ２１の箱体１１との連結部（ねじ４３の取付部）と箱体１１に天板１２を連結するためのブレース２３が箱体１１と天板１２間に収容されるように構成した。【選択図】  図４
2004176935.tif 000002
【特許請求の範囲】
【請求項１】
前方および上方に開口を有する箱体と、この箱体の上部に脱着可能で前記箱体の上方開口を塞ぐ天板により庫本体が構成され、この庫本体の前方一側に配設したヒンジにて、前記箱体の前方開口を開閉可能なドアが回動可能に支持される貯蔵庫において、前記ドアの一側上端を回動可能に支持する上ヒンジの前記箱体との連結部が前記箱体と前記天板間に収容されるように構成したことを特徴とする貯蔵庫。
【請求項２】
請求項１に記載の貯蔵庫において、前記箱体の上面に組付けられて前記箱体に前記天板を連結するためのブレースが前記箱体と前記天板間に収容されるように構成したことを特徴とする貯蔵庫。
【請求項３】
請求項１または２に記載の貯蔵庫において、前記箱体の上部に上方に向けて開口する凹部を形成し、この凹部に前記上ヒンジの一端部を収納したことを特徴とする貯蔵庫。
【請求項４】
請求項３に記載の貯蔵庫において、前記上ヒンジを左右非対称で前後の長手方向中間部位にて線対称の形状としたことを特徴とする貯蔵庫。
【請求項５】
請求項１、２、３または４に記載の貯蔵庫において、前記天板を前後対称形状とするとともに、前記上ヒンジの一部が挿通可能な切欠を前記天板に設けたことを特徴とする貯蔵庫。
【発明の詳細な説明】
【０００１】
【発明の属する技術分野】
本発明は、例えば、製氷機、冷蔵庫等に採用される貯蔵庫に関する。
【０００２】
【従来の技術】
この種の貯蔵庫の一つとして、前方および上方に開口を有する箱体と、この箱体の上部に脱着可能で前記箱体の上方開口を塞ぐ天板により庫本体が構成され、また前記箱体の前方開口がドアにて開閉可能とされる貯蔵庫がある（例えば、特許文献１参照）。また、貯蔵庫において、庫本体の前方一側に配設したヒンジにてドアが回動可能に支持されるように構成したものもある（例えば、特許文献２参照）。
【０００３】
【特許文献１】
特開２０００−３０４４２６号公報
【特許文献２】
特開平９−２６４６６２号公報
【０００４】
【発明が解決しようとする課題】
従来の貯蔵庫において、庫本体の前方一側に配設したヒンジにてドアが回動可能に支持されるものでは、上記特許文献２に示されているように、ドアの一側上端を回動可能に支持する上ヒンジの箱体との連結部が庫本体の外部に露呈するため、これを被覆するカバーが設けられている。このため、上ヒンジの箱体との連結部が庫本体の外部に露呈しなくなるものの、カバーによって庫本体の外表面に凹凸が生じて、庫本体の外観を損ねることがあるばかりか、庫本体の外表面の清掃性を悪化させている。
【０００５】
【課題を解決するための手段】
本発明は、上記した課題を解決するためになされたものであり、前方および上方に開口を有する箱体と、この箱体の上部に脱着可能で前記箱体の上方開口を塞ぐ天板により庫本体が構成され、この庫本体の前方一側に配設したヒンジにて、前記箱体の前方開口を開閉可能なドアが回動可能に支持される貯蔵庫において、前記ドアの一側上端を回動可能に支持する上ヒンジの前記箱体との連結部が前記箱体と前記天板間に収容されるように構成したことに特徴がある。
【０００６】
この場合において、前記箱体の上面に組付けられて前記箱体に前記天板を連結するためのブレースが前記箱体と前記天板間に収容されるように構成することも可能である。また、前記箱体の上部に上方に向けて開口する凹部を形成し、この凹部に前記上ヒンジの一端部を収納することも可能である。この場合において、前記上ヒンジを左右非対称で前後の長手方向中間部位にて線対称の形状とすることも可能である。また、これらの場合において、前記天板を前後対称形状とするとともに、前記上ヒンジの一部が挿通可能な切欠を前記天板に設けることも可能である。
【０００７】
【発明の作用・効果】
本発明による貯蔵庫においては、上ヒンジの箱体との連結部が箱体と天板間に収容されるように構成したため、箱体に上ヒンジおよび天板等を組付けて庫本体を組み立てた状態では、上ヒンジの箱体との連結部が庫本体の外部に露呈しなくなり、上ヒンジのための凹凸を庫本体の外表面から無くすことが可能である。このため、庫本体の外観をすっきりとさせることが可能であるとともに、庫本体の外表面の清掃性を良好とすることが可能である。
【０００８】
また、本発明の実施に際して、箱体の上面に組付けられて箱体に天板を連結するためのブレースが箱体と天板間に収容されるように構成した場合、箱体に上ヒンジ、ブレースおよび天板等を組付けて庫本体を組み立てた状態では、上ヒンジの箱体との連結部およびブレースが庫本体の外部に露呈しなくなり、上ヒンジおよびブレースのための凹凸を庫本体の外表面から無くすことが可能である。このため、庫本体の外観を更にすっきりとさせることが可能であるとともに、庫本体の外表面の清掃性を更に良好とすることが可能である。
【０００９】
また、本発明の実施に際して、箱体の上部に上方に向けて開口する凹部を形成し、この凹部に上ヒンジの一端部を収納した場合には、凹部内での上ヒンジの前後・左右方向への移動を規制することが可能である。このため、上ヒンジは、上下方向の移動を規制する連結固定手段のみでも箱体に的確に固定することが可能である。
【００１０】
また、本発明の実施に際して、上ヒンジを左右非対称で前後の長手方向中間部位にて線対称の形状とした場合には、上記した作用効果を損なうことなく、上ヒンジを左右共用の形状とすることができて、ドアの開く方向を左右変更する際にも同一の上ヒンジを用いて対応することが可能であり、部品の共用化に伴うコスト低減を図ることが可能である。また、上ヒンジを前後の長手方向中間部位にて線対称の形状としたため、上ヒンジにおける庫本体の外部に露呈する部位の形状を左右非対称の任意の形状に形成することが可能である。
【００１１】
また、本発明の実施に際して、天板を前後対称形状とするとともに、上ヒンジの一部が挿通可能な切欠を天板に設けた場合には、ドアの開く方向を左右変更する際に、上ヒンジとブレースの左右取付位置変更に合わせて、天板の前後を変更することで対応することが可能であり、部品の共用化に伴うコスト低減を図ることが可能である。
【００１２】
【発明の実施の形態】
以下に、本発明の一実施形態を図面に基づいて説明する。図１〜図４は本発明を製氷機の貯蔵庫Ａに実施した実施形態を示していて、この貯蔵庫Ａにおいては、前方および上方に開口を有する箱体１１と、この箱体の上部に脱着可能で箱体１１の上方開口１１ａを塞ぐ天板１２により庫本体１０が構成され、この庫本体１０の前方一側に配設した上ヒンジ２１と下ヒンジ２２にて、箱体１１の前方開口１１ｂを右開きで開閉可能なドア３０Ｒが回動可能に支持されている。なお、庫本体１０の庫内には氷を自動的に製造する製氷部５０が設けられている。
【００１３】
箱体１１は、図４にて拡大して示したように、上方開口１１ａと前方開口１１ｂを有する断熱箱体であり、左右の側壁１１ｃ，１１ｄの上部には、上方に向けて開口する凹部１１ｃ１，１１ｄ１がそれぞれ形成されるとともに、各凹部１１ｃ１，１１ｄ１の前方にはナット１１ｃ２，１１ｄ２がそれぞれ埋設固定されている。また、左右の側壁１１ｃ，１１ｄの下部には、一対のナット１１ｃ３，１１ｄ３（図３および図１４参照）がそれぞれ埋設固定されている。また、箱体１１の後壁１１ｅ上端中央には、図４に示したように、引っ掛け部１１ｅ１が後方に向けて突設されている。
【００１４】
天板１２は、図４に示したように、上ヒンジ２１とブレース２３および一対のねじ４１，４２を介して箱体１１の上部に脱着可能な断熱構造の板であり、前後対称形状に形成されていて、図４に示した状態では、右方の前後に切欠１２ａ，１２ｂがそれぞれ形成されるとともにナット１２ｃ，１２ｄがそれぞれ埋設固定され、左方の前後にねじ挿通孔１２ｅ，１２ｆがそれぞれ形成されている。また、天板１２の前壁中央内側と後壁中央内側には、箱体１１の引っ掛け部１１ｅ１が嵌合する切欠１２ｇ，１２ｈがそれぞれ形成されている。
【００１５】
上ヒンジ２１は、一端部を箱体１１の凹部１１ｃ１に嵌合した状態にてナット１１ｃ２に螺着されるねじ４３を用いて箱体１１の上部に脱着可能であり、天板１２が箱体１１に組付けられる前に箱体１１に組付けられるようになっていて、天板１２が箱体１１に組付けられた状態では、その取付部すなわち後半分とねじ４３が箱体１１と天板１２間にて天板１２内に収容されるようになっている。
【００１６】
また、上ヒンジ２１は、図５〜図７にて詳細に示したように、左右非対称で前後の長手方向中間部位にて線対称の形状に形成されていて、プレート２１ａと一対のピン２１ｂ，２１ｃによって構成されている。プレート２１ａは、３箇所に折れ曲がり部を有していて、長手方向の中間部に切欠２１ａ１を有するとともに、この切欠２１ａ１を挟むように右開用取付孔２１ａ２と左開用取付孔２１ａ３を有している。
【００１７】
一方のピン２１ｂは、右開きのドア３０Ｒの右側上端を回動可能に支持する支持ピンであり、プレート２１ａの一端部に嵌合された状態で溶接により固着されている。他方のピン２１ｃは、左開きのドア３０Ｌ（図１６〜図１８参照）の左側上端を回動可能に支持する支持ピンであり、プレート２１ａの他端部に嵌合された状態で溶接により固着されている。
【００１８】
下ヒンジ２２は、図１または図１８に示したように、右開きのドア３０Ｒの右側下端または左開きのドア３０Ｌの左側下端を回動可能に支持するものであり、図３または図１４に示したように、皿ねじ４５を用いて箱体１１の下部に脱着可能であって、図２または図１７に示したように、プレート２２ａと単一のピン２２ｂによって構成されている。プレート２２ａは、図８〜図１０にて詳細に示したように、左右対称の形状でＬ字状に形成されていて、長片部位に一対の皿状取付孔２２ａ１を有するとともに、短片部位にねじ孔２２ａ２を有している。
【００１９】
ピン２２ｂは、プレート２２ａのねじ孔２２ａ２に螺合する雄ねじ２２ｂ１を有していて、プレート２２ａの下方からプレート２２ａに脱着可能であり、図２または図１７に示したように、プレート２２ａから取り外された状態では、右開きのドア３０Ｒまたは左開きのドア３０Ｌが脱着可能であり、また、プレート２２ａに取付けられた状態（図１または図１８の状態）では、右開きのドア３０Ｒの右側下端または左開きのドア３０Ｌの左側下端を回動可能に支持する。
【００２０】
ブレース２３は、図３、図４または図１４にて示したように、右開きのドア３０Ｒまたは左開きのドア３０Ｌの開放側にて天板１２を箱体１１に連結するためのものであり、図４に示したように、後端部を箱体１１の凹部１１ｄ１に嵌合した状態にてナット１１ｄ２に螺着されるねじ４４を用いて箱体１１の上部に脱着可能であって、天板１２が箱体１１に組付けられた状態では、箱体１１と天板１２間にて天板１２内に収容されるようになっている。
【００２１】
また、ブレース２３は、図１１〜図１３にて詳細に示したように、左右対称の形状に形成されていて、中間部位に取付部２３ａを有し、前端部に支持部２３ｂを有し、後端部に回り止め部２３ｃを有しており、取付部２３ａにはねじ４４が挿通される取付孔２３ａ１が形成され、支持部２３ｂにはねじ４２が螺着されるねじ孔２３ｂ１が形成されている。
【００２２】
右開きのドア３０Ｒは、図１、図２および図１６に示したように、ドア本体３１の左上部にハンドル３２を脱着可能に取付けることで構成されていて、庫本体１０の前方右側に配設した上ヒンジ２１と下ヒンジ２２にて回動可能に支持されている。左開きのドア３０Ｌは、図１６、図１７および図１８に示したように、ドア本体３１の右上部にハンドル３２を脱着可能に取付けることで構成されていて、庫本体１０の前方左側に配設した上ヒンジ２１と下ヒンジ２２にて回動可能に支持されている。
【００２３】
図４に示した各ねじ４１〜４４は同一形状のねじであり、ねじ４１は上ヒンジ２１の左開用取付孔２１ａ３を通して天板１２のナット１２ｃに螺着されるように、ねじ４２は天板１２のねじ挿通孔１２ｅを通してブレース２３のねじ孔２３ａ１に螺着されるように、ねじ４３は上ヒンジ２１の右開用取付孔２１ａ２を通して箱体１１のナット１１ｃ２に螺着されるように、ねじ４４はブレース２３の取付孔２３ａ１を通して箱体１１のナット１１ｄ２に螺着されるようになっている。
【００２４】
上記のように構成したこの実施形態においては、図１に示した状態から下ヒンジ２２のピン２２ｂを取り外すことで、図２に示したように右開きのドア３０Ｒを取り外すことが可能である。また、図４に示したねじ４１と４２を取り外すことで、天板１２を箱体１１から取り外すことが可能であり、天板１２を箱体１１から取り外した状態にて庫内に設けた製氷部５０のメンテナンスを容易に行うことが可能である。なお、天板１２は、右開きのドア３０Ｒを取付けた状態でも、箱体１１から取り外すことが可能である。
【００２５】
また、この実施形態においては、図３に示したように、天板１２を箱体１１から取り外した状態にて、各ねじ４３，４４を取り外すことで、上ヒンジ２１とブレース２３を箱体１１から取り外すことが可能であり、各皿ねじ４５を取り外すことで、下ヒンジ２２のプレート２２ａを箱体１１から取り外すことが可能である。また、図１４〜図１６に示したように、上ヒンジ２１と下ヒンジ２２のプレート２２ａとブレース２３を左右組み替え、天板１２を前後組み替えて取付けるとともに、ドア本体３１の左上部から右上部にハンドル３２を組み替えて、その後に図１７に示したように左開きドア３０Ｌを組付けて下ヒンジ２２のピン２２ｂを組付ければ、図１８に示したように、左開きドア仕様の製氷機とすることが可能である。
【００２６】
ところで、この実施形態においては、天板１２が箱体１１に組付けられた状態では、上ヒンジ２１の箱体１１との連結部が箱体１１と天板１２間に収容されるように構成したため、箱体１１に上ヒンジ２１および天板１２等を組付けて庫本体１０を組み立てた状態では、上ヒンジ２１の箱体１１との連結部が庫本体１０の外部に露呈しなくなり、上ヒンジ２１のための凹凸を庫本体１０の外表面から無くすことが可能である。このため、庫本体１０の外観をすっきりとさせることが可能であるとともに、庫本体１０の外表面の清掃性を良好とすることが可能である。
【００２７】
また、この実施形態においては、箱体１１の上面に組付けられて箱体１１に天板１２を連結するためのブレース２３が箱体１１と天板１２間に収容されるように構成したため、箱体１１に上ヒンジ２１、ブレース２３および天板１２等を組付けて庫本体１０を組み立てた状態では、ブレース２３が庫本体１０の外部に露呈しなくなり、ブレース２３のための凹凸を庫本体の外表面から無くすことが可能である。このため、これによっても、庫本体１０の外観をすっきりとさせることが可能であるとともに、庫本体１０の外表面の清掃性を良好とすることが可能である。
【００２８】
また、この実施形態においては、箱体１１の上部に上方に向けて開口する凹部１１ｃ１，１１ｄ１を形成し、この凹部１１ｃ１または１１ｄ１に上ヒンジ２１の一端部を収納するようにしたため、凹部１１ｃ１または１１ｄ１内での上ヒンジ２１の前後・左右方向への移動を規制することが可能である。このため、上ヒンジ２１は、上下方向の移動を規制するねじ４３のみでも箱体１１に的確に固定することが可能である。
【００２９】
また、この実施形態においては、上ヒンジ２１を左右非対称で前後の長手方向中間部位にて線対称の形状として、この上ヒンジ２１の前後の長手方向端部が凹部１１ｃ１または１１ｄ１に収納されるようにしたため、上ヒンジ２１を左右共用の形状とすることができて、ドアの開く方向を左右変更する際にも同一の上ヒンジ２１を用いて対応することが可能であり、部品の共用化に伴うコスト低減を図ることが可能である。また、上ヒンジ２１を前後の長手方向中間部位にて線対称の形状としたため、上ヒンジ２１における庫本体の外部に露呈する部位の形状を左右非対称の任意の形状（プレート２１ａの天板１２から突出する部位に切欠２１ａ１を有する形状）に形成することが可能である。
【００３０】
また、この実施形態においては、天板１２を前後対称形状とするとともに、上ヒンジ２１の中間部が挿通可能な切欠１２ａ，１２ｂを天板１２に設けたため、ドアの開く方向を左右変更する際に、図１４に示したように、上ヒンジ２１とブレース２３の左右取付位置変更に合わせて、天板１２の前後を変更することで対応することが可能であり、部品の共用化に伴うコスト低減を図ることが可能である。
【００３１】
また、この実施形態においては、箱体１１の上部に上方に向けて開口する凹部１１ｃ１，１１ｄ１を形成し、この凹部１１ｃ１または１１ｄ１にブレース２３の回り止め部２３ｃを収納するようにしたため、凹部１１ｃ１または１１ｄ１内でのブレース２３の前後・左右方向への移動を規制することが可能である。このため、ブレース２３は、上下方向の移動を規制するねじ４４のみでも箱体１１に的確に固定することが可能である。
【図面の簡単な説明】
【図１】本発明を製氷機の貯蔵庫に実施した実施形態を示す斜視図である。
【図２】図１に示した製氷機から右開きドアを取り外した状態の斜視図である。
【図３】図２に示した製氷機から天板を取り外した状態の斜視図である。
【図４】図３に示した箱体、天板、上ヒンジ、ブレース等の構成を概略的に示す要部拡大分解斜視図である。
【図５】図４に示した上ヒンジの詳細な構成を示す側面図である。
【図６】図５に示した上ヒンジの背面図である。
【図７】図５に示した上ヒンジの平面図である。
【図８】図２および図３に示した下ヒンジにおけるプレートの詳細な構成を示す正面図である。
【図９】図８に示した下ヒンジの側面図である。
【図１０】図８に示した下ヒンジの底面図である。
【図１１】図４に示したブレースの詳細な構成を示す正面図である。
【図１２】図１１に示したブレースの側面図である。
【図１３】図１１に示したブレースの平面図である。
【図１４】上ヒンジと下ヒンジのプレートとブレースを左右組み替え、天板を前後組み替えて取付ける工程を概略的に示す斜視図である。
【図１５】上ヒンジを左右組み替えて取付ける工程を概略的に示す斜視図である。
【図１６】ドア本体の左上部から右上部にハンドルを組み替えて取付ける工程を概略的に示す斜視図である。
【図１７】左開きドアを取付ける工程を概略的に示す斜視図である。
【図１８】左開きドアを取付けた状態（左開きドア仕様の製氷機）の斜視図である。
【符号の説明】
Ａ…貯蔵庫、１０…庫本体、１１…箱体、１１ａ…上方開口、１１ｂ…前方開口、１１ｃ，１１ｄ…側壁、１１ｃ１，１１ｄ１…凹部、１２…天板、１２ａ，１２ｂ…切欠、２１…上ヒンジ、２１ａ…プレート、２１ａ１…切欠、２１ａ２…右開取付孔、２１ａ３…左開取付孔、２１ｂ，２１ｃ…ピン、２２…下ヒンジ、２２ａ…プレート、２２ｂ…ピン、２３…ブレース、３０Ｒ…右開きドア、３０Ｌ…左開きドア、３１…ドア本体、３２…ハンドル、４１〜４５…ねじ、５０…製氷部。
【図１】
2004176935.tif 000003
【図２】
2004176935.tif 000004
【図３】
2004176935.tif 000005
【図４】
2004176935.tif 000006
【図５】
2004176935.tif 000007
【図６】
2004176935.tif 000008
【図７】
2004176935.tif 000009
【図８】
2004176935.tif 000010
【図９】
2004176935.tif 000011
【図１０】
2004176935.tif 000012
【図１１】
2004176935.tif 000013
【図１２】
2004176935.tif 000014
【図１３】
2004176935.tif 000015
【図１４】
2004176935.tif 000016
【図１５】
2004176935.tif 000017
【図１６】
2004176935.tif 000018
【図１７】
2004176935.tif 000019
【図１８】
2004176935.tif 000020